(57)【要約】【課題】簡単な構成で塵落とし部材を駆動できる電気掃除機を提供すること。【解決手段】電気掃除機は、集塵部６０及び集塵部６０に吸込負圧を作用させる電動送風機３３が設けられた掃除機本体２０と、電動送風機３３の負圧により空気と共に集塵部（６０，７４）に吸引した塵埃を分離するフィルタ（Ｆ１〜Ｆ３，１００）と、プリーツフィルタ１００に振動を付与してプリーツフィルタ１００）の上流側の面に付着した塵埃を落とす塵落とし部材３０４を備えている。また、この電気掃除機は、掃除機本体２０の上面の収納位置と上方に持ち上げた使用位置との間で上下動可能に掃除機本体２０に取り付けられた本体持ち運び用のハンドル２００と、ハンドル２００を収納位置側に付勢するコイルスプリング３２３と、ハンドル２００の上下動に連動して塵落とし部材３０４を駆動させる動力伝達手段３００Ａを設けている。【選択図】図７
2007268120.tif 000002
【特許請求の範囲】
【請求項１】
集塵室及び前記集塵室に吸込負圧を作用させる電動送風機が設けられた掃除機本体と、前記電動送風機の負圧により空気と共に前記集塵室に吸引した塵埃を分離するフィルタと、前記フィルタに振動を付与して前記フィルタの上流側の面に付着した塵埃を落とす除塵手段を備える電気掃除機であって、
前記掃除機本体の上面の収納位置と上方に持ち上げた使用位置との間で上下動可能に前記掃除機本体に取り付けられた本体持ち運び用のハンドルと、前記ハンドルを収納位置側に付勢する収納用バネと、前記ハンドルの上下動に連動して前記除塵手段を駆動させる動力伝達手段を設けたことを特徴とする電気掃除機。
【請求項２】
請求項１に記載の電気掃除機において、前記除塵手段は前記ハンドルの上下動に連動して往復動することを特徴とする電気掃除機。
【請求項３】
請求項２に記載の電気掃除機において、前記ハンドルを手動により上方へ移動させる際に前記除塵手段と前記フィルタとの間に発生する第１の負荷と、前記ハンドルを前記収納用バネにより収納位置に下動させる際に前記除塵手段と前記フィルタとの間に発生する第２の負荷は第１の負荷よりも小さく設定されていることを特徴とする電気掃除機。
【請求項４】
請求項３に記載の電気掃除機において、前記フィルタは上下に延びる山と谷を有するヒダが左右方向に多数配列されたプリーツフィルタであり、前記除塵手段は前記ハンドルの上下動に連動して前記ヒダの配列方向に往復動可能に設けられていると共に、前記ハンドルを手動により上方へ移動させる際に前記ハンドルに連動して往動して前記多数のヒダを順次弾く第１ガイド部が前記除塵手段に設けられ、前記ハンドルを前記収納用バネにより下動させる際に前記ハンドルに連動して前記多数のヒダを前記往動よりも順次弱く弾く第２ガイド部が前記除塵手段に設けられていることを特徴とする電気掃除機。
【請求項５】
請求項３に記載の電気掃除機において、前記フィルタは上下に延びる山と谷を有するヒダが左右方向に多数配列されたプリーツフィルタであり、前記除塵手段は前記ハンドルの上下動に連動して前記ヒダの配列方向に往復動可能に設けられていると共に、前記除塵手段は前記ハンドルを前記収納用バネにより下動させる際に前記ハンドルに連動して復動し且つ復動方向とは反対方向に回動可能に設けられていることを特徴とする電気掃除機。
【発明の詳細な説明】
【技術分野】
【０００１】
この発明は、塵埃を捕集するフィルタを備えた電気掃除機に関する。
【背景技術】
【０００２】
従来から、空気と共に集塵室に吸い込まれる塵埃を空気から分離する第１フィルタ（第１塵埃分離手段）と、この第１フィルタを通過した細塵を空気から分離するプリーツフィルタ（第２塵埃分離手段）と、プリーツフィルタの多数のヒダを順次弾くように移動可能な塵落とし部材（除塵手段）と、電源コードを巻き取るコードリールと、このコードリールの回転力を塵落とし部材に伝達する連動手段を備える電気掃除機が知られている（特許文献１参照）。
【０００３】
この電気掃除機では、電源コードをコードリールに巻き取る際に、コードリールの回転を連動手段を介して塵落とし部材に伝達して、この塵落とし部材でプリーツフィルタの多数のヒダを順次弾くことにより、このプリーツフィルタに振動を付与して、このプリーツフィルタの上流側の面に付着した細塵を振動により落とすようになっている。
【特許文献１】特開２００６−６３８３号公報
【発明の開示】
【発明が解決しようとする課題】
【０００４】
しかしながら、従来の電気掃除機では、連動手段の途中にワンウエイクラッチを設けて、コードリールの一方向への回転のみを塵落とし部材に伝達するようにしていたため、連動手段の構成が複雑であった。
【０００５】
そこで、この発明は、簡単な構成で塵落とし部材を駆動できる電気掃除機を提供することを目的とする。
【課題を解決するための手段】
【０００６】
この目的を達成するため、この発明は、集塵室及び前記集塵室に吸込負圧を作用させる電動送風機が設けられた掃除機本体と、前記電動送風機の負圧により空気と共に前記集塵室に吸引した塵埃を分離するフィルタと、前記フィルタに振動を付与して前記フィルタの上流側の面に付着した塵埃を落とす除塵手段を備える電気掃除機であって、前記掃除機本体の上面の収納位置と上方に持ち上げた使用位置との間で上下動可能に前記掃除機本体に取り付けられた本体持ち運び用のハンドルと、前記ハンドルを収納位置側に付勢する収納用バネと、前記ハンドルの上下動に連動して前記除塵手段を駆動させる動力伝達手段を設けた電気掃除機としたことを特徴とする。
【発明の効果】
【０００７】
この発明によれば、簡単な構成で塵落とし部材を駆動できる。
【発明を実施するための最良の形態】
【０００８】
以下、この発明に係る電気掃除機の実施形態である実施例を図面に基づいて説明する。
【実施例】
【０００９】
図１に示す電気掃除機１０は、掃除機本体２０を備えており、この掃除機本体２０の前部に設けたホース接続口２１には集塵ホース１２の一端が着脱自在に接続され、その他端には手元操作管である手元操作部（手元操作パイプ）１３が設けられている。手元操作部１３には延長管１４が着脱自在に接続され、延長管１４の先端部には吸込口体１５が着脱自在に接続されている。
【００１０】
この吸込口体１５には、下面に開口する図示しない吸込開口を有する吸込室（図示せず）が形成されている。また、手元操作部１３には操作部１３Ａが設けられており、この操作部１３Ａには複数の操作スイッチＳが設けられている。
【００１１】
掃除機本体２０は、図２に示すように、本体ケース３０と、本体ケース３０に着脱自在に載置される集塵容器５０と、後部が本体ケース３０にヒンジ結合されて上下方向に開閉可能となっている蓋体４０とを備えている。
【００１２】
また、本体ケース３０の後部側の上面にはハンドル収納凹部３０ａが形成され、このハンドル収納凹部３０ａには本体持ち運び用のハンドル２００が配設されている。このハンドル２００は、図７に示したように本体ケース３０に前後に起倒自在に取り付けられたアーム部２００ａ，２００ｂと、アーム部２００ａ，２００ｂの他端部を連設している握り部２００ｃを有する。
【００１３】
また、本体ケース３０の後部３０Ａには電動送風機３３（図３参照）が内蔵され、この電動送風機３３の側部には図３に破線で示したようにコードリール３４が配置されている。このコードリール３４は、図１１の横軸３４ａで回転可能に本体ケース３０内に取り付けられていると共に、図示しない渦巻きバネ等で図１１の電源コード３４ｂを巻き取り可能に設けられている。この構造には周知の構成が採用できるので、その詳細な説明は省略する。
【００１４】
また、本体ケース３０の前（図３において左側）には皿状の載置部３５が設けられている。この載置部３５には集塵容器５０が着脱自在に載置され、蓋体４０を閉じた際にこの蓋体４０と載置部３５とで集塵容器５０を挟持して固定するようになっている。
【００１５】
蓋体４０には、図３に示すように管部２２が設けられており、この管部２２の先端がホース接続口２１となっている。また、管部２２の後端が接続開口２３となっている。
【００１６】
本体ケース３０の後部３０Ａには図２に示したように前壁部３１が設けられ、この前壁部３１には図７〜図１０に示したように前面開口２０１が形成され、この前面開口２０１は電動送風機３３の吸込開口３３Ａに図示しない連通風路を介して連通している。また、前壁部３１には図７に示したような側壁部３１ａ，３１ａが形成されている。そして、この前壁部３１には除塵装置３００が設けられている。
【００１７】
この除塵装置３００は、図７に示したように、左右に延びる一対の軸状のガイドレール３０１，３０１と、このガイドレール３０１，３０１に左右動自在に保持されたスライダ３０２を有する。このガイドレール３０１，３０１は、互いに平行に上下に配設されている共に、両端部が側壁部３１ａ，３１ａに固定されている。また、スライダ３０２の前壁部３１に臨む後部には、図７，図１３に示したように左右方向に配列された多数のラック歯からなるラック３０３が設けられている。
【００１８】
また、除塵装置３００は、図１３に示したように、スライダ３０２の左右両端部に配設した除塵手段としての一対の塵落とし部材３０４，３０４を有する。この塵落とし部材３０４は、塵落とし部３０５と、塵落とし部３０５の基部に一体に設けられた取付ボス３０６と、塵落とし部３０５の基部から取付ボス３０６の左右に分岐して略平行に延びる脚部３０７，３０８を有する。
【００１９】
そして、このような塵落とし部材３０４は、取付ボス３０６を介してスライダ３０２の両端部にそれぞれ水平回動可能に取り付けられている。しかも、スライダ３０２には、図１４に示したように脚部３０７，３０８間に位置させた支持壁部３０９，３１０が形成されている。尚、塵落とし部３０５はスライダ３０２の上流側（前側）に突出している。
【００２０】
また、脚部３０８と支持壁部３０９との間にはコイルスプリング（弾性部材）３１１が介装されていて、コイルスプリング３１１は脚部３０７が支持壁部３０９の外側面に当接するようにバネ付勢している。この脚部３０７が支持壁部３０９の外側面に当接している状態では、塵落とし部３０５がスライダ３０２に対して略垂直な状態となっている。
【００２１】
この塵落とし部３０５は、図１３に示したように矢印Ａ１，Ａ２方向にスライダ３０２と一体に往復動させられるようになっている。そして、塵落とし部３０５の往動側の側面は、脚部３０７が支持壁部３０９の外側面に当接している状態で、スライダ３０２に対して略垂直な第１係合部３０５ａとなっている。また、塵落とし部３０５の復動側の側面は、脚部３０７が支持壁部３０９の外側面に当接している状態で、スライダ３０２に対して傾斜する第２係合部３０５ｂとなっている。
【００２２】
また、除塵装置３００は、ハンドル２００の上下動をスライダ３０２の左右動に変換させる動力伝達手段３００Ａを有する。
【００２３】
この動力伝達手段３００Ａは、図７に示すように前壁部３１に回転自在に取り付けられ且つラック３０３に噛合するピニオン３１２と、このピニオン３１２の回転軸３１２ａ（図８（ａ）参照）に固定されたピニオン３１３と、このピニオン３１３に噛合し且つ前側壁３１の後面側に回転自在に取り付けられたギヤ３１４と、ギヤ３１４と一体に設けられたピニオン３１５を有する。
【００２４】
更に、動力伝達手段３００Ａは、図８（ａ）に示したようにピニオン３１５に噛合し且つ前壁部３１の後面に上下動可能に保持されたラック３１６と、ラック３１６に設けられた突部３１７と、ハンドル２００の脚部２００ｂの基端部近傍の部分と突部３１７との間に介装されたリンク３１８を有する。
【００２５】
このリンク３１８の下端部（一端部）は突部３１７に前後回動可能に取り付けられ、リンク３１８の上端部（他端部）は連動解除手段Ｂ１によりハンドル２００の脚部２００ｂの基端部近傍の部分に前後回動可能に取り付けられている。
【００２６】
この連動解除手段Ｂ１は、図８（ｂ）に示したようにリンク３１８の上端部に設けた上下に延びる長孔３１８ａと、この長孔３１８ａを介して脚部２００ｂの基端部近傍の部分に取り付けられてリンク３１８の上端部を脚部２００ｂに回動自在に支持させる支持軸３１８ｂが挿通されている。
【００２７】
尚、ラック３１６は、これと一体のガイド部３１７ａに設けた上下一対のガイドスリット３１９，３１９と、前壁部３１の後面に突設され且つガイドスリット３１９，３１９にそれぞれ挿通係合されたガイド突起３２０，３２０により、上下に所定範囲で移動可能に設けられている。そして、図８（ａ）に示したようにハンドル２００が倒伏した位置では、ガイドスリット３１９，３１９の上端がガイド突起３２０，３２０に当接して、ラック３１６が下方に移動できないようになっている。
【００２８】
また、前壁部３１には、ガイド部３１７ａに隣接して上下に延び且つ後方に開放すると共に、上端にバネ受壁３２１ａを有するバネ収納空間３２１が設けられている。このバネ収納空間３２１には、ガイド部３１７ａの下部に一体に設けたバネ受け突部３２２が配設されていると共に、このバネ受け突部３２２とバネ受壁３２１ａとの間に介装されたコイルスプリング（ハンドル収納用バネ）３２３を有する。
【００２９】
また、図１１に示したように、ハンドル２００の脚部２００ａの下方とコードリール３４の側部のブレーキドラム３４ａとの間には、ブレーキ装置（ブレーキ手段）３２４が配設されている。このブレーキ装置３２４は、本体ケース３０内に支持軸３２５ａで回動可能に取り付けられたブレーキ解除レバー３２５と、ブレーキ解除レバー３２５と一体に設けられた逆Ｕ字状のローラ支持部３２６と、ローラ支持部３２６の側板３２６ａ，３２６ａに設けられ且つ前後に傾斜して延びる長孔３２７，（他方図示せず）と、側板３２６ａ，３２６ａ間に配設されたゴムローラ３２８と、このゴムローラ３２８に一体に設けられ且つ長孔３２７，（他方図示せず）に前後に移動可能に挿通された軸部３２９を有する。
【００３０】
そして、ゴムローラ（ブレーキローラ）３２８の軸部３２９が長孔３２７の後端部に移動している状態では、電源コード３４ｂを巻き取る方向にコードリール３４を回転付勢している渦巻きバネ（図示せず）のバネ力により、ゴムローラ３２８がブレーキドラム３４ａに圧接されて、コードリール３４が渦巻きバネ（図示せず）のバネ力で回転するのを阻止している。尚、電源コード３４ｂをコードリール３４から引き出すときには、ゴムローラ（ブレーキローラ）３２８の軸部３２９が長孔３２７の前側に移動して、ゴムローラ３２８のブレーキドラム３４ａへの圧接が解除され、ブレーキが解除される。
【００３１】
また、ブレーキが解除レバー３２５を下方に押圧させることにより、ゴムローラ３２８がブレーキドラム３４ａから離反させられてコードリール３４のブレーキが解除され、コードリール３４が渦巻きバネ（図示せず）のバネ力により回転させられて、電源コード３４ｂがコードリール３４に巻き取られる。尚、このようなブレーキ装置３２４には周知の構造が採用できる。
【００３２】
そして、ハンドル２００がハンドル収納凹部３０ｂ内にコイルスプリング（ハンドル収納用バネ）３２３で収納されて、ガイドスリット３１９，３１９の上端がガイド突起３２０，３２０に当接した状態では、ハンドル２００の脚部２００ａがブレーキ解除レバー３２５の上端に単に当接した状態なると共に、支持軸３１８ｂが長孔３１８ａの上下方向の上端部に位置していて、ハンドル２００を更に押し下げ可能となっている。従って、ハンドル２００をハンドル収納位置から更に押し下げて、ハンドル２００の脚部２００ａでブレーキ解除レバー３２５を押し下げて、ゴムローラ３２８によるコードリール３４のブレーキを解除しても、スライダ３０２及び塵落とし部材３０４が移動することはない。この結果、ハンドル操作によるブレーキ解除によりスライダ３０２及び塵落とし部材３０４が破損するようなことは未然に防止できる。
【００３３】
集塵容器５０は、図３に示すように、上部に形成された周回風路部５１（図４，図５参照）と、この周回風路部５１の下に形成された第１集塵室としての集塵部（第１集塵部）６０と、この集塵部６０の後部側に形成された負圧室部７０と、底蓋８０とを有している。
【００３４】
周回風路部５１は、図６に示すように中心部に設けた塵埃分離部（第１塵埃分離部）５２の周囲に円弧状の周回風路５３を形成したものである。周回風路５３の先端の先端開口５４は、図３に示すように蓋体４０の管部２２の接続開口２３に接合されている。周回風路５３は後端開口５５を介して集塵部６０内に連通している。
【００３５】
また、周回風路５３の途中の底部には負圧室部７０に連通する開口５７が形成され、この開口５７にはネットフィルタＦ２が張られている。塵埃分離部５２は、ほぼ裁頭円錐台状に形成されたネットフィルタＦ１で形成されている。塵埃分離５２内の底部は開口され、この開口５６を介して塵埃分離５２内と負圧室部７０とが連通している。
【００３６】
集塵部６０の後部の隔壁６１には、負圧室部７０に連通する開口６２が形成され、隔壁６１の下部壁６１Ａには連通穴（連通開口）６３が形成されている。すなわち、開口６２の下に連通穴６３が形成されている。そして、開口６２にはネットフィルタＦ３が張られている。
【００３７】
負圧室部７０の後部（図５において右側）には、図３のプリーツフィルタ体１００を着脱可能に装着する枠部７１が一体形成され、この枠部７１の後端開口７２が図３に示す本体ケース３０の前面開口（図示せず）に接合されている。
【００３８】
このプリーツフィルタ１００は、図１４，図１５に示したように上下に延びる山と谷からなり且つ左右方向に配列された多数のヒダ１００ａを有する。そして、上述した塵落とし部材３０４に設けた塵落とし部３０５の先端部がプリーツフィルタ１００の後面側（エア流れの下流側）に図１４に示したように係合するようになっている。
【００３９】
枠部７１の下部には下部後壁部７３が形成され、この下部後壁部７３と集塵部６０の隔壁６１の下部壁６１Ａと底蓋８０とで囲まれる空間が細塵集塵部（第２集塵部）７４となっている。この細塵集塵部７４は隔壁６１の連通穴６３を介して集塵部６０内と連通するようになっている。また、枠部７１の下枠壁部７１Ａと隔壁６１の下部壁６１Ａとの間が導入開口７５となっている。
【００４０】
また、集塵部６０の隔壁６１の下部には、導入開口７５を閉塞するための開閉板（開閉蓋）７６の一端部（図３において上部）が軸支されている。この開閉板７６は一端部を中心にして回動自在となっており、電動送風機３３が駆動されていないとき、自重により隔壁６１の連通穴６３を閉塞し、細塵集塵部７４の導入開口７５は開放される。そして、電動送風機３３の駆動により負圧室部７０内が負圧になると、開閉板７６が回動して導入開口７５を閉塞（図９参照）するようになっている。
【００４１】
底蓋８０は、図３に示す軸８１を中心にして時計回りに回動可能となっており、この回動により集塵部６０および細塵集塵部７４の底部が開放されて、集塵部６０および細塵集塵部７４に溜まった塵埃を捨てることできるようになっている。
［動  作］
次に、上記のように構成される電気掃除機の動作について説明する。
【００４２】
先ず、図２に示すように、集塵容器５０を本体ケース３０の載置部３５に載置して蓋体４０を閉じ、図１に示すように集塵ホース２１の一端を蓋体４０のホース接続口２１に接続する。
【００４３】
この状態では、図３に示すように、集塵容器５０の先端開口５４と蓋体４０の管部２２の接続開口２３が接合されて、集塵ホース１２と集塵容器５０の周回風路部５１が接続される。
【００４４】
そして、操作部１３ＡのスイッチＳを操作すると電動送風機３３が駆動される。この電動送風機３３の駆動により集塵容器５０の負圧室部７０および集塵部６０が負圧となる。この負圧は、周回風路５３，集塵ホース１２，手元操作部（手元操作パイプ），延長管（延長パイプ）１４を介して吸込口体１５の図示しない吸込室に作用する。
【００４５】
この負圧により、図示しない清掃面の塵埃は空気と共に吸込口体１５の吸込室（図示せず）に吸い込まれる。そして、吸込口体１５の吸込室（図示せず）に吸い込まれた塵埃は、空気と共に延長管（延長パイプ）１４，手元操作部（手元操作パイプ），集塵ホース１２を介して集塵容器５０の周回風路５３内に吸い込まれる。
【００４６】
この周回風路５３に吸い込まれた空気の一部及び細塵の一部はネットフィルタＦ１及びネットフィルタＦ２を介して負圧室部７０内に流入する。一方、周回風路５３に空気と共に吸い込まれた塵埃のうち大きく重量のあるもの及び細塵の一部は、慣性力により周回風路５３に沿って流れて周回風路５３の後端開口５５を介して集塵部６０内に流入する。この集塵部６０内に流入した塵埃の一部はネットフィルタＦ３を介して負圧室部７０内に流入する。この際、塵埃のうち大きく重量のあるものは集塵部６０内に捕捉される。
【００４７】
そして、負圧室部７０内に流入した空気は、プリーツフィルタ１００を透過して電動送風機３３に吸い込まれて内部を冷却した後、排出されて本体ケース３０の図示しない排気口から大気に排気される。この際、負圧室部７０内に流入した細塵はプリーツフィルタ１００により捕捉される。
（プリーツフィルタ１００の除塵）
＜ハンドル１００の起立操作時＞
このような電気掃除機において、作業者がハンドル２００を掴んで掃除機本体２０をこれの重量に抗して持ち上げようとすると、このハンドル１００が図７，図８の収納位置（図１６の（イ）の位置）から図９，図１０の使用位置（図１６の（ロ）の位置）まで起立させられる。これに伴い、ハンドル２００に連動するラック３１６がリンク３１８を介して図１０の如く上方に引き上げられる。
【００４８】
これに伴い、ピニオン３１５が回転させられ、この回転がギヤ３１４，ピニオン３１３を介してピニオン３１２を介してラック３０３に伝達され、ラック３０３を有するスライダ３０２が図７の左の位置（図１７の（イ）の位置）から図９の右の位置（図１７の（ロ）の位置）まで矢印Ａ１方向に移動（往動）させられる。
【００４９】
この際、図１３，図１４のスライダ３０２の塵落とし部材３０４もスライダ３０２と一体に矢印Ａ１の方向に移動（往動）して、塵落とし部材３０４の塵落とし部３０５に設けた第１係合部３０５ａが図１４の如くプリーツフィルタ１００のヒダ１００ａに係合した後に乗り越え、ヒダ１００ａが第１係合部により強く弾かれて、プリーツフィルタ１００を振動させる。この動作は、多数のヒダ１００ａに対して順次行われ、プリーツフィルタ１００の上流側の面に付着した細塵が落とされて細塵捕集部７４に捕集される。
＜ハンドル１００の倒伏時＞
一方、掃除機本体２０を移動先まで運んで清掃面に載置し、ハンドル２００をから手を離すと、ハンドル２００はコイルスプリング３２３のバネ力により図９，図１０の使用位置（図１６の（ロ）の位置）から図７，図８の収納位置（図１６の（イ）の位置）まで降下させられる。
【００５０】
これに伴い、ピニオン３１５が回転させられ、この回転がギヤ３１４，ピニオン３１３を介してピニオン３１２を介してラック３０３に伝達され、ラック３０３を有するスライダ３０２が図９の右の位置（図１７の（ロ）の位置）から図７の左の位置（図１７の（イ）の位置）まで矢印Ａ２方向に移動（復動）させられる。
【００５１】
この際、図１３，図１４のスライダ３０２の塵落とし部材３０４もスライダ３０２と一体に矢印Ａ２の方向に移動（復動）する。これに伴い、塵落とし部材３０４の塵落とし部３０５に設けた第２係合部３０５ｂがプリーツフィルタ１００のヒダ１００ａに順次係合して乗り越える際、塵落とし部材３０４は脚部３０８が支持壁３１０に当たるまで取付ボス３０６を中心に矢印Ａ３方向に回動する。これにより、第２係合部３０５ｂは第１係合部より１００ａを弱く弾いて、プリーツフィルタ１００を振動させる。この動作は、多数のヒダ１００ａに対して順次行われ、プリーツフィルタ１００の上流側の面に付着した細塵が落とされて細塵捕集部７４に捕集される。
（電源コード３４ｂの巻取操作）
この様な操作により、プリーツフィルタ１００の多数のヒダ１００ａは２つの塵落とし部材３０４，３０４の少なくとも一方により必ず弾かれて、プリーツフィルタ１００に付着した塵埃が落とされる。そして、ハンドル２００がコイルスプリング３２３のバネ力により図７，図８の収納位置（図１６の（イ）の位置）まで降下させられ、ハンドル２００がハンドル収納凹部３０ａ内にコイルスプリング（ハンドル収納用バネ）３２３で収納されると、ガイドスリット３１９，３１９の上端がガイド突起３２０，３２０に当接する。
【００５２】
この状態では、ハンドル２００の脚部２００ａが図１１状態から図１２の如くブレーキ解除レバー３２５の上端にハンドル２００の自重のみにより単に当接した状態（図１６の（イ）の位置の状態）になると共に、リンク３１８の支持軸３１８ｂが長孔３１８ａの上下方向の上端部に位置していて、ハンドル２００を更に押し下げ可能となっている。
【００５３】
しかし、この状態では、ガイドスリット３１９，３１９の上端がガイド突起３２０，３２０に当接しているので、ハンドル２００を更に押し下げてもラック３１６は降下せず、スライダ３０２は図１７の（ロ）の位置より矢印Ａ２方向に更に移動して、プリーツフィルタ１００のフィルタ枠１００ｂに当たるようなことはない。
【００５４】
この状態からハンドル２００を更に押し下げて、ハンドル２００の脚部２００ａでブレーキ解除レバー３２５を押し下げて、ゴムローラ３２８にをブレーキドラム３４ａから上方に離反させると、ゴムローラ３２８によるコードリール３４のブレーキが解除され、電源コード３４ｂがコードリール３４に図示しない渦巻きバネのバネ力で巻き取られることになる。
【００５５】
従って、ハンドル２００をハンドル収納位置から更に押し下げて、ハンドル２００の脚部２００ａでブレーキ解除レバー３２５を押し下げて、ゴムローラ３２８によるコードリール３４のブレーキを解除しても、スライダ３０２及び塵落とし部材３０４が移動することはない。この結果、ハンドル操作によるブレーキ解除によりスライダ３０２及び塵落とし部材３０４が破損するようなことは未然に防止できる。
【００５６】
以上説明したように、この発明の実施の形態の電気掃除機は、集塵室（集塵部６０）及び前記集塵室（集塵部６０）に吸込負圧を作用させる電動送風機３３が設けられた掃除機本体２０と、前記電動送風機３３の負圧により空気と共に前記集塵室（集塵部６０，７４）に吸引した塵埃を分離するフィルタ（Ｆ１〜Ｆ３，１００）と、前記フィルタ（プリーツフィルタ１００）に振動を付与して前記フィルタ（プリーツフィルタ１００）の上流側の面に付着した塵埃を落とす除塵手段（塵落とし部材３０４）を備えている。また、この電気掃除機は、前記掃除機本体２０の上面の収納位置と上方に持ち上げた使用位置との間で上下動可能に前記掃除機本体２０に取り付けられた本体持ち運び用のハンドル２００と、前記ハンドル２００を収納位置側に付勢する収納用バネ（コイルスプリング３２３）と、前記ハンドル２００の上下動に連動して前記除塵手段（塵落とし部材３０４）を駆動させる動力伝達手段３００Ａを設けている。
【００５７】
この構成によれば、簡単な構成で塵落とし部材を駆動できる。尚、この実施例では、プリーツフィルタ１００の除塵を行うようにしているが、ハンドルの上下動に連動して移動する部材により紙パックフィルタに振動を付与して、紙パックフィルタの除塵を行うようにすることもできる。また、ハンドル２００は孤島自在に設けることにより握り部が上下動するようにこうせいしたたが、ハンドルは単に上下方向に進退動するように掃除機本体に取り付けた構成でも良い。
【００５８】
また、この発明の実施の形態の電気掃除機の前記除塵手段（塵落とし部材３０４）は前記ハンドル２００の上下動に連動して往復動するようになっている。この構成によれば、除塵手段の往復動によりフィルタの塵落としを効果的に行うことができる。
【００５９】
また、この発明の実施の形態の電気掃除機においては、前記ハンドルを手動により上方へ移動させる際に前記除塵手段と前記フィルタとの間に発生する第１の負荷と、前記ハンドルを前記収納用バネにより収納位置に下動させる際に前記除塵手段と前記フィルタとの間に発生する第２の負荷を想定したとき、前記第２の負荷は第１の負荷よりも小さく設定されている。
【００６０】
この構成によれば、ハンドルを持ち上げるときの掃除機本体の重量の反力を利用して、除塵手段を往動させることができるので、ハンドルを手動により上方へ移動させる際に除塵手段と前記フィルタとの間に発生する第１の負荷を大きくして、除塵手段（塵落とし部材３０４）によりフィルタ（１００）への振動付与力を大きくできる。また、ハンドルを収納用バネ（コイルスプリング３２３）のバネ力で収納位置まで戻すときには、前記ハンドルを前記収納用バネにより収納位置に下動させる際に前記除塵手段と前記フィルタとの間に発生する第２の負荷を第１の負荷よりも小さくして、収納用バネ（コイルスプリング３２３）のバネ力のみで除塵手段を復動させるようになるので、収納用バネ（コイルスプリング３２３）のバネ力が弱くても除塵手段（塵落とし部材３０４）によりフィルタへ振動を付与して除塵できる。
【００６１】
また、この発明の実施の形態の電気掃除機において、前記フィルタは上下に延びる山と谷を有するヒダが左右方向に多数配列されたプリーツフィルタであり、前記除塵手段は前記ハンドルの上下動に連動して前記ヒダの配列方向に往復動可能に設けられていると共に、前記ハンドルを手動により上方へ移動させる際に前記ハンドルに連動して往動して前記多数のヒダを順次弾く第１ガイド部（第１係合部３０５ａ）が前記除塵手段（塵落とし部材３０４）に設けられ、前記ハンドルを前記収納用バネにより下動させる際に前記ハンドルに連動して前記多数のヒダを前記往動よりも順次弱く弾く第２ガイド部（第２係合部３０５ｂ）が前記除塵手段（塵落とし部材３０４）に設けられている。
【００６２】
この構成によれば、ハンドルを持ち上げるときの掃除機本体の重量の反力を利用して、除塵手段を往動させることができるので、ハンドルを手動により上方へ移動させる際に除塵手段と前記フィルタとの間に発生する第１の負荷を大きくして、除塵手段（塵落とし部材３０４）によりフィルタへの振動付与力を大きくできる。また、ハンドルを収納用バネ（コイルスプリング３２３）のバネ力で収納位置まで戻すときには、前記ハンドルを前記収納用バネにより収納位置に下動させる際に前記除塵手段と前記フィルタとの間に発生する第２の負荷を第１の負荷よりも小さくして、収納用バネ（コイルスプリング３２３）のバネ力のみで除塵手段を復動させるようになるので、収納用バネ（コイルスプリング３２３）のバネ力が弱くても除塵手段（塵落とし部材３０４）によりフィルタへ振動を付与して除塵できる。尚、第２ガイド部（第２係合部３０５ｂ）としては、傾斜面の外に、Ｃ面や、Ｒ面を用いることができる。この場合、除塵手段（塵落とし部材３０４）が収納用バネ（コイルスプリング３２３）のバネ力により復動する際に移動方向（復動方向）と反対方向に回動しても良いし、回動しなくても良い。
【００６３】
また、この発明の実施の形態の電気掃除機において、前記フィルタは上下に延びる山と谷を有するヒダが左右方向に多数配列されたプリーツフィルタ１００であり、前記除塵手段（塵落とし部材）は前記ハンドル２００の上下動に連動して前記ヒダ１００ａの配列方向に往復動可能に設けられていると共に、前記除塵手段（塵落とし部材３０４）は前記ハンドル２００を前記収納用バネ（コイルスプリング３２３）により下動させる際に前記ハンドル２００に連動して復動し且つ復動方向とは反対方向に回動可能に設けられている。
【００６４】
この構成によれば、除塵手段（塵落とし部材３０４）が収納用バネ（コイルスプリング３２３）のバネ力により復動する際に移動方向（復動方向）と反対方向に回動するので、この回動によりハンドルを収納用バネ（コイルスプリング３２３）のバネ力で収納位置まで戻すときには、前記ハンドルを前記収納用バネにより収納位置に下動させる際に前記除塵手段と前記フィルタとの間に発生する第２の負荷を第１の負荷よりも小さくできる。これにより、収納用バネ（コイルスプリング３２３）のバネ力のみで除塵手段を復動させるようになるので、収納用バネ（コイルスプリング３２３）のバネ力が弱くても除塵手段（塵落とし部材３０４）によりフィルタ（１００）へ振動を付与して除塵できる。
【図面の簡単な説明】
【００６５】
【図１】この発明にかかる電気掃除機の概略斜視図である。
【図２】図１の掃除機本体の蓋体を開いた状態の説明図である。
【図３】図１の電気掃除機の部分断面図である。
【図４】図１，図２に示した集塵容器の斜視図である。
【図５】図４の集塵容器を上斜め後ろから見た斜視図である。
【図６】図４の集塵容器の上部の周回風路の横断面図である。
【図７】図２の前側壁に設けられる除塵装置を集塵容器側から見た要部の概略斜視図である。
【図８】図２の前側壁に設けられる除塵装置を電動送風機側から見た要部の概略斜視図である。
【図９】図７の除塵装置の作用説明図である。
【図１０】図８の除塵装置の作用説明図である。
【図１１】図７のハンドルとコードリールブレーキ装置との関係を示す概略斜視図である。
【図１２】図１１のハンドルとコードリールブレーキ装置との関係を示す作用説明図である。
【図１３】図７のスライダを拡大して示した斜視図である。
【図１４】図１３のスライダに設けられた塵落とし部材とプリーツフィルタとの関係を示す要部説明図である。
【図１５】図１４のプリーツフィルタの部分拡大斜視図である。
【図１６】図７，図８のハンドルの作用説明図である。
【図１７】図１６のハンドルの位置と図１４の塵落とし部材との関係を示す作用説明図である。
【符号の説明】
【００６６】
２０…掃除機本体
３３…電動送風機
６０…集塵部（集塵室）
７０…負圧室部
７４…細塵集塵部
１００…プリーツフィルタ
２００…ハンドル
３０４…塵落とし部材
３０５…塵落とし部
３０５ａ…第１係合部（第１ガイド部）
３０５ｂ…第２係合部（第１ガイド部）
３２３…コイルスプリング（収納用バネ）
Ｆ１〜Ｆ３…ネットフィルタ
【図１】
2007268120.tif 000003
【図２】
2007268120.tif 000004
【図３】
2007268120.tif 000005
【図４】
2007268120.tif 000006
【図５】
2007268120.tif 000007
【図６】
2007268120.tif 000008
【図７】
2007268120.tif 000009
【図８】
2007268120.tif 000010
【図９】
2007268120.tif 000011
【図１０】
2007268120.tif 000012
【図１１】
2007268120.tif 000013
【図１２】
2007268120.tif 000014
【図１３】
2007268120.tif 000015
【図１４】
2007268120.tif 000016
【図１５】
2007268120.tif 000017
【図１６】
2007268120.tif 000018
【図１７】
2007268120.tif 000019